(57)【要約】      （修正有）【課題】ソーラーパネルを仮設パネルと一緒に取付けたり取外しできることは勿論、個別にも容易に脱着できるようにした取付構造を具備したソーラーパネル付き仮設パネルを提供する。【解決手段】仮設パネルと、鳥居枠支柱や単管支柱などの支柱に取付けた前記仮設パネル用のクランプであって当該仮設パネルの枠に設けたピン孔に引掛けて支持する係止ピンを備えたクランプの当該係止ピンと、大きくても前記仮設パネルよりは小さい外形のソーラーパネルＳＰであって、前記仮設パネルに重ねた状態において、前記ピンに係合されるピン孔を設けた係合部を当該パネルの左右側部に有するソーラーパネルとからなり、前記仮設パネルを前記クランプの係止ピンに引掛けて当該クランプに支持させるとき、前記ソーラーパネルを当該ソーラーパネルの係合部のピン孔を前記係止ピンに係合させ、前記仮設パネルに重ねて取付けるようにした。【選択図】図１
0003165892.tif 000002
【実用新案登録請求の範囲】
【請求項１】
仮設パネルと、鳥居枠支柱や単管支柱などの支柱に取付けた前記仮設パネル用のクランプであって当該仮設パネルの枠に設けたピン孔に引掛けて支持する係止ピンを備えたクランプの当該係止ピンと、大きくても前記仮設パネルよりは小さい外形のソーラーパネルであって、前記仮設パネルに重ねた状態において、前記ピンに係合されるピン孔を設けた係合部を当該パネルの左右側部に有するソーラーパネルとからなり、前記仮設パネルを前記クランプの係止ピンに引掛けて当該クランプに支持させるとき、前記ソーラーパネルを当該ソーラーパネルの係合部のピン孔を前記係止ピンに係合させ、前記仮設パネルに重ねて取付けるようにしたことを特徴とするソーラーパネル付き仮設パネル。
【請求項２】
仮設パネルは、横長長方形又は縦長長方形若しくは正方形のいずれかであり、ソーラーパネルは、大きくても前記仮設パネルの内側に収まる大きさに形成した請求項１のパネル。
【考案の詳細な説明】
【技術分野】
【０００１】
本考案は、建設現場等に設置される、例えば仮設防音パネルなどの仮設パネルにおいて、そのパネルの表面上に、ソーラーパネルを一体化した状態で脱着可能に備えた仮設パネルに関する。
【背景技術】
【０００２】
建設現場やビル解体現場などに設置さえる仮設防音パネルなどの現場仮設パネルは、現場周囲に対する環境保全や安全性の確保、或は、快適さを保持することなどを目的として設置されるが、現場が遮光性のパネルで囲われてしまうと、例えば夜間においては周囲からの光が遮断されてしまい、仮囲いパネルの周辺は暗くなってしまうことがあり、そうなると交通安全上や生活保安上の観点からは問題である。
【０００３】
従来、このような点に鑑み、設置された仮囲いパネルに適当な間隔で照明灯を設置することが行われている。しかし、照明灯を設けると、その電源や配線が不可欠であるため、仮設パネルの設置に加え、照明用の電源や配線の準備が不可欠になる。
【０００４】
また、工事が完了すれば、電源や配線の撤去をしなければならないが、このために仮設パネルの撤去が円滑かつ合理的に行い難くなるという別の問題もある。しかし乍ら、このような問題点のない仮設防音パネルなどの仮設パネルは未だ見当らない。
【０００５】
すなわち、特許文献１の防音パネルは、固定的に高速道路などに常設されるソーラーパネル付防音壁であり、特許文献２，３の仮囲いパネルに設けられたソーラーパネルは、両パネルが固定的に一体化されていて、ソーラーパネルを仮囲いパネルに対して着脱自在の態様で使用するものではないからである。
【先行技術文献】
【特許文献】
【０００６】
【特許文献１】実用新案登録第3153965号公報
【特許文献２】実用新案登録第3154596号公報
【特許文献３】特開2007-35976号公報
【考案の概要】
【考案が解決しようとする課題】
【０００７】
上記のような仮設パネルや仮囲いパネルにおけるソーラーパネル（太陽電池パネルともいう）の取外しができない取付け構造に鑑み、本考案では、既存の仮設防音パネルのような仮設パネルの鳥居枠支柱や単管支柱への取付構造をそのまま利用し、ソーラーパネルを仮設パネルと一緒に取付けたり取外しできることは勿論、個別にも容易脱着できるようにした取付構造を具備したソーラーパネル付き仮設パネルを提供することを課題とする。
【課題を解決するための手段】
【０００８】
上記課題を解決することを目的としてなされた本考案取付構造を備えたパネルの構成は、仮設パネルと、鳥居枠支柱や単管支柱などの支柱に取付けた前記仮設パネル用のクランプであって当該仮設パネルの枠に設けたピン孔に引掛けて支持する係止ピンを備えたクランプの当該係止ピンと、大きくても前記仮設パネルよりは小さい外形のソーラーパネルであって、前記仮設パネルに重ねた状態において、前記ピンに係合されるピン孔を設けた係合部を当該パネルの左右側部に有するソーラーパネルとからなり、前記仮設パネルを前記クランプの係止ピンに引掛けて当該クランプに支持させるとき、前記ソーラーパネルを当該ソーラーパネルの係合部のピン孔を前記係止ピンに係合させ、前記仮設パネルに重ねて取付けるようにしたことを特徴とするものである。
【考案の効果】
【０００９】
本考案では、仮設パネルをそのパネルのピン孔に係合されて支持しているクランプの係止ピンに、ソーラーパネルの左右側部を設けた係合部のピン孔を係合させて、そのソーラーパネルを仮設パネルと重ねて設置できるようにしたので、仮設パネルの脱着とソーラーパネルの脱着とが同じクランプの係合ピンに対して行うことができることとなり、仮設パネルとソーラーパネルの一体での着脱操作は勿論のこと、個別での脱着操作も容易に行うことができる。
【図面の簡単な説明】
【００１０】
【図１】本考案に用いるソーラーパネルの一例の正面図。
【図２】図１のソーラーパネルの右側面図。
【図３】図１のソーラーパネルの平面図。
【図４】本考案を適用する仮設防音パネルの一例の正面図。
【図５】図４の仮設防音パネルの右側面図。
【図６】図４の仮設防音パネルの平面図。
【図７】図１のソーラーパネルと図４の仮設防音パネルを重ねて本考案パネルに形成した状態の正面図。
【図８】図７の本考案パネルの右側面図。
【図９】図７の本考案パネルの平面図。
【図１０】図７の本考案パネルを、鳥居枠支柱に取付けた状態の側面図。
【図１１】図１０の本考案パネルの正面図。
【考案を実施するための形態】
【００１１】
次に本考案パネルの実施の形態例について図を参照して説明する。
まず、図４〜図６は、本考案を適用する仮設パネルの一例のパネルで、ここでは防音仕様の仮設防音パネルＢＰである。防音パネルＢＰは、表裏のパネル表面材１の内部に、アルミ等のハニカムコア（図示せず）をサンドイッチした構造を有する。本考案は防音仕様ではない仮設パネルにも、勿論適用でできる。
【００１２】
図４〜図６の防音パネルＢＰは、表，裏の表面材１となるカラー鋼板やプラスチック板を、アルミ製などの四角いフレーム枠材２で囲み、表，裏の表面材１の間にハニカムコア材（図に表われず）をサンドイッチ状に扶持させて構成されている。３は、左右の枠材２の外面に沿って設けたカマボコ状中空断面のパッキング材である。４は、上下の枠材２の左右端部に設けた長穴によるクランプの係止ピン１３に係合されるピン孔であり、単管などの支柱１１、（図１０参照）に取付けたクランプ１２（図１０参照）が備える係止ピン１３に係合させて、パネルＢＰをその支柱１１に係止させるためのものである。
【００１３】
図１〜図３は、上記防音パネルＢＰに重ねた状態で本考案パネルを構成するためのソーラーパネルＳＰ（太陽電池パネルともいう）であり、上記防音パネルＢＰに重ねた状態で支柱１１のクランプ１２の係止ピン１３に係止するための構成を具備する。
【００１４】
すなわち、ソーラーパネルＳＰは、その左右幅（長さ）が、防音パネルＢＰの左右の枠材２の幅員内に収まる大きさであると共に、上下幅も当該防音パネルＢＰの上下の枠材２がなす上下幅内に収まる大きさに形成されたものである。ここで、５は横向き長方形のソーラーパネル本体、６は当該パネル本体５の四周に配設した取付枠、７は前記パネル本体５の、ここでは左右側に透設したリード線挿通（出入れ）口である。
【００１５】
上記ソーラーパネルＳＰは、上記構成に加え、当該パネルＳＰを上記防音パネルＢＰと重ねた状態で、その防音パネルＢＰの長穴状のピン孔４に合致するピン孔１０を備えた金具９を上下端部に有する補助枠８を、このパネルＳＰの左右側の取付枠６に設けた構成を具備している。
【００１６】
上記防音パネルＢＰとソーラーパネルＳＰの構成によって、両パネルＢＰとＳＰは、図７〜図９に例示するように、防音パネルＢＰの上にソーラーパネルＳＰを重ねると、ソーラーパネルＳＰの左右の補助枠８の上，下端部にある４個の金具９の長穴状のピン孔１０が防音パネルＢＰのピン孔４に合致する（図９参照）。これにより両パネルＢＰとＳＰは、重ねた状態で両パネルＢＰとＳＰのピン孔４と１０が合致して備えられた本考案パネルを形成するのである。
【００１７】
従って、この重ねた状態にした本考案パネルは、図１０に例示するように鳥居枠の支柱１１に取付けた係止ピン１３を有するクランプ１２に、四隅の４箇所における両パネルＢＰとＳＰの合致したピン孔（両パネルの四隅のピン孔）４と１０においてクランプ１２の係止ピン１３に係合されて取付けられることになる。
【００１８】
ソーラーパネルＳＰと一体になった防音パネルＢＰは、図１１の正面図に例示するように、通常の防音パネルの配列、設置と同じ設置操作によって現場に仮設することができる。このようにして設置されるソーラーパネルＳＰは、そのリード線挿通口７からリード線（図示せず）を出して照明灯などに接続して電源バッテリーとして利用することができる。以上の説明は防音パネルＢＰについてのものであるが、上記ソーラーパネルＳＰは、防音パネル以外の仮設パネル（又は仮囲いパネル）など、係止ピン１３をクランプ１２に支持させるパネルについても適用できること勿論である。
【産業上の利用可能性】
【００１９】
本考案パネルは以上の通りであって、防音パネル等の仮設パネルとソーラーパネルとを一体的に合体して設置するために、ソーラーパネルを係止ピンに支持された仮設パネルに重ねたとき、当該ソーラーパネルに設けたピン孔を前記係止ピンに係合させて取付けるようにしたから、仮設パネルと合体状態でソーラーパネルを支柱のクランプに支持させて設置することができ、設置作業が容易である。
【００２０】
また、ソーラーパネルを取外すときは、両パネルが同じ係止ピンに係止されているので、一緒に取外すことができることは勿論、ソーラーパネルだけを取外すこともでき、従って、仮設パネルの取付け，取外しと別工程でソーラーパネルの取付け，取外し作業を行うことができるから、ソーラーパネルと仮設パネルの分別した取扱いと整理を行う上で便利である。
【００２１】
さらに、ソーラーパネルは、仮設パネルにあたかも一体化されたように見える合体状態で、支柱の同じクランプの係止ピンに係止されるので、設置状態の外観も整然として見映えがよい。
【符号の説明】
【００２２】
１    仮設パネルＢＰの表面材
２    枠材
３    パッキング材
４    ピン孔
ＳＰ  ソーラーパネル
５    ソーラーパネル本体
６    取付枠
７    リード線挿通口
８    補助枠
９    補助枠８の金具
１０  金具９に設けたピン孔
１１（単管などの）支柱
１２  クランプ
１３  クランプの係止ピン
【図１】
0003165892.tif 000003
【図２】
0003165892.tif 000004
【図３】
0003165892.tif 000005
【図４】
0003165892.tif 000006
【図５】
0003165892.tif 000007
【図６】
0003165892.tif 000008
【図７】
0003165892.tif 000009
【図８】
0003165892.tif 000010
【図９】
0003165892.tif 000011
【図１０】
0003165892.tif 000012
【図１１】
0003165892.tif 000013